(57)【要約】【課題】運転環境設定装置の提供。【解決手段】携帯式メモリカードに複数の設定データが保存され、並びに車上用のカードリーダーに挿入されて読み書きされ、無線ダウンロード装置で遠端サービスセンターより更新データを無線ダウンロードし、カードリーダーでそれを携帯式メモリカード内に書き込んで上述の設定データを更新できる。カードリーダーで携帯式メモリカード内のデータを読み取って対応する車用アクセサリを設定された使用状態となすため、快速リアルタイムで随時随所に設定データを無線更新でき、個人に符合する運転環境に設定できる。携帯式メモリカードは特約修理工場、情報ステーション、或いは家庭のパソコンへと携帯でき、ゆえに随時随所で内部データを簡単に更新できる。【選択図】　　　　図１
2004058981.tif 000002
【特許請求の範囲】
【請求項１】
機動車両において使用される運転環境設定装置において、
少なくとも一つの車用アクセサリに電気的に連接されたデータバスと、
それぞれが対応する車用アクセサリを設定した使用状態となすように設定するための複数の設定データを保存する携帯式保存媒体と、
電気的に該データバスに連接された電磁読み書き機と、
電気的に該データバスに連接されると共に、該電磁読み書き機を制御して携帯式保存媒体内よりこれらの設定データを読み取らせ、並びにその対応する車用アクセサリを設定された使用状態となすコントローラと、
を具えたことを特徴とする、運転環境設定装置。
【請求項２】
請求項１に記載の運転環境設定装置において、携帯式保存媒体が携帯式メモリカードとされたことを特徴とする、運転環境設定装置。
【請求項３】
請求項１に記載の運転環境設定装置において、携帯式保存媒体が携帯されて遠端コンピュータによりこれら設定データを更新できることを特徴とする、運転環境設定装置。
【請求項４】
請求項３に記載の運転環境設定装置において、遠端コンピュータが遠端サービスセンターに連結され、並びに該遠端サービスセンターよりこれら更新データをダウンロードして携帯式保存媒体内に書き込んで設定データを更新できることを特徴とする、運転環境設定装置。
【請求項５】
請求項１に記載の運転環境設定装置において、無線ダウンロード装置を具え、該無線ダウンロード装置により少なくとも一つの更新データをダウンロードし、且つ電磁読み書き機によりこれら更新データを携帯式保存媒体内に書き込んで設定データを更新できることを特徴とする、運転環境設定装置。
【請求項６】
請求項５に記載の運転環境設定装置において、無線ダウンロード装置を具え、該無線ダウンロード装置が遠端サービスセンターより更新データを無線ダウンロードすることを特徴とする、運転環境設定装置。
【発明の詳細な説明】
【０００１】
【発明の属する技術分野】
本発明は一種の運転環境設定装置に係り、特に機動車両のオーナーが随時随所で自分で運転環境を更新でき、並びに更新データを無線ダウンロードできる設定装置に関する。
【０００２】
【従来の技術】
近年、生活水準が不断に高まり、一般大衆の交通方式は自前の交通工具がメインとなり、通勤、通学或いは休日のレジャーに、自家用車両はすでに不可欠の交通工具となっている。
【０００３】
最も常用されている自家用車を例に挙げると、現在、車のメーカーはそれぞれ個人の好みに合わせて、高い付加価値或いは高い付加機能を具えた高品質車を不断に販売しており、例えば、自動車電話システム、衛星ナビゲーションシステム、マルチメディアシステム、電動椅子等を有したものがあり、このような車の配備はこれまで高級車にしか見られなかったが、現在では一般の車の標準配備になりつつある。
【０００４】
しかし、上述の多種類の車のアクセサリは、往々にして車主が運転前或いは運転中にそれぞれ逐一、個人の要求する環境に符合するように設定調整しなければならず、多種類のアクセサリの制御は十分に煩瑣であり、特に前の人が運転後に次の人が運転する時には新たに全部を一度調整しなければならず、非常に不便である。
【０００５】
このほか、上述の車の各アクセサリにビルトインされたコンピュータソフトは完全に使用者が自分で更新することができず、もしバージョンアップしたい場合は、車主は特定の修理工場或いは製造メーカーに出向いて特定の修理員により内部データを更新してもらわねばならず、車主にとっては使用上の不便と時間の浪費を形成しやすい。
【０００６】
【発明が解決しようとする課題】
本発明の主要な目的は、一種の運転環境設定装置を提供することにあり、それは、随時随所で携帯式保存媒体内部のデータを更新でき、並びに個人に符合する運転環境に設定できる装置であるものとする。
【０００７】
本発明の次の目的は、一種の運転環境設定装置を提供することにあり、それは、快速リアルタイムに設定データを更新できる装置であるものとする。
【０００８】
【課題を解決するための手段】
請求項１の発明は、機動車両において使用される運転環境設定装置において、
少なくとも一つの車用アクセサリに電気的に連接されたデータバスと、
それぞれが対応する車用アクセサリを設定した使用状態となすように設定するための複数の設定データを保存する携帯式保存媒体と、
電気的に該データバスに連接された電磁読み書き機と、
電気的に該データバスに連接されると共に、該電磁読み書き機を制御して携帯式保存媒体内よりこれらの設定データを読み取らせ、並びにその対応する車用アクセサリを設定された使用状態となすコントローラと、
を具えたことを特徴とする、運転環境設定装置としている。
請求項２の発明は、請求項１に記載の運転環境設定装置において、携帯式保存媒体が携帯式メモリカードとされたことを特徴とする、運転環境設定装置としている。
請求項３の発明は、請求項１に記載の運転環境設定装置において、携帯式保存媒体が携帯されて遠端コンピュータによりこれら設定データを更新できることを特徴とする、運転環境設定装置としている。
請求項４の発明は、請求項３に記載の運転環境設定装置において、遠端コンピュータが遠端サービスセンターに連結され、並びに該遠端サービスセンターよりこれら更新データをダウンロードして携帯式保存媒体内に書き込んで設定データを更新できることを特徴とする、運転環境設定装置としている。
請求項５の発明は、請求項１に記載の運転環境設定装置において、無線ダウンロード装置を具え、該無線ダウンロード装置により少なくとも一つの更新データをダウンロードし、且つ電磁読み書き機によりこれら更新データを携帯式保存媒体内に書き込んで設定データを更新できることを特徴とする、運転環境設定装置としている。
請求項６の発明は、請求項５に記載の運転環境設定装置において、無線ダウンロード装置を具え、該無線ダウンロード装置が遠端サービスセンターより更新データを無線ダウンロードすることを特徴とする、運転環境設定装置としている。
【０００９】
【発明の実施の形態】
本発明は少なくとも一つの車用アクセサリに連接されたデータバスと、周知の６４ＫＢ、１２８ＫＢ、或いはその他の異なる容量のＩＣメモリカード、或いはその他の高容量保存媒体例えばコンパクトフラッシュ（登録商標）カード、スマートメディア（登録商標）カード、メモリースティックカードとされ、対応する車用アクセサリを設定使用状態となすのに用いられる複数の設定データを保存し、携帯式保存媒体と、該データバスに連接された電磁読み書き機とコントローラを具え、該コントローラは並びに電磁読み書き機を制御して携帯式保存媒体内に更新データを書き込んで上述の設定データを更新し、こうして快速、リアルタイムに設定データを更新する。このほか、コントローラは並びに電磁読み書き機を制御して携帯式保存媒体より保存された設定データ或いは更新データを読み取り、並びにこれによりその対応する車用アクセサリを設定し、使用者個人に符合する運転環境を設定する。
【００１０】
本発明はさらに無線ダウンロード装置を具えた形態が可能であり、無線ネットワーク等の方式を透過し、遠端サービスセンターより少なくとも一つの更新データをダウンロードし、並びに電磁読み書き機で更新データを携帯式保存媒体に書き込み上述の設定データを更新し、こうして快速、リアルタイムに設定データを更新する目的を達成する。
【００１１】
無線ダウンロード方式のほか、携帯式保存媒体を遠端コンピュータで読み書きして上述の設定データの更新を行うことができる。そのうち、遠端コンピュータは遠端サービスセンターに、例えば有線ネットワークの広域ネットワーク、或いはインターネットを透過して連接されるか、或いは無線ネットワーク等の方式で遠端サービスセンターより更新データをダウンロードできる。上述の遠端コンピュータは車主の家庭のパソコンとされるか、或いは飛行場、ガソリンスタンド、郵便局、銀行、特約修理工場、コンビニエンスストア或いは特約工場等の場所の情報ステーションに設置され、これにより随時随所で容易に携帯式保存媒体の内部データを更新でき、車主の使用に便利である。
【００１２】
このほか、携帯式保存媒体のデータはまた車上の入力装置、或いは遠端コンピュータの入力装置を透過し、車主により直接入力、更新することが可能で、例えば自動車電話のキーボード、音声で制御する装置、家庭のコンピュータマウスとキーボードを使用し、車主が簡単に入力、更新できる。
【００１３】
【実施例】
図１は本発明を機動車両に組み付けたシステム構造図である。本発明によると、自動車電気系統のデータバス１（例えばＣＡＮバス）にカードリーダー３、コントローラ４、及び各種の車用アクセサリが連結される。該カードリーダー３は電磁読み書き機とされて携帯式メモリカード２に対してデータの読み書き動作を行う。該携帯式メモリカード２は電磁データ保存媒体とされ、本実施例では１６ＭＢの高容量ＩＣカードとされ、各種車用アクセサリを設定された使用状態となすための複数の設定データを大量に保存できる。携帯式メモリカード２は上述の車上のカードリーダー３内に挿入可能で、コントローラ４の制御によりそのデータの読み書きが行われる。
【００１４】
車主は乗車すると先ずその個人の携帯式メモリカード２をカードリーダー３内に挿入し、カードリーダー３は先ず該携帯式メモリカード２内の各種設定データを読み取り、コントローラ４が設定に基づき各種の車用アクセサリを設定された使用状態となす。例えば車用携帯電話システム５１を例に挙げると、図２も併せて参照されたいが、携帯式メモリカード２内に予め車主個人の起動暗号データと車主が常用する電話帳設定データ５３が保存され、該電話帳設定データ５３は車主携帯電話番号５３１、２００組の異なる姓名の中国語／英語常用電話番号５３２、２０組の読み出し表示電話番号５３３、２０組のダイアル電話番号５３４、１０組の短縮ダイアル電話番号５３５、一組のリダイアル電話番号５３６を含む。車主が乗車してカードを挿入した後、コントローラ４は該カードリーダー３を制御して携帯式メモリカード２内の上述の電話帳設定データ５３を読み取らせ、並びにそれを携帯電話システム５１のメモリ内に保存し、並びにこれにより車用携帯電話システム５１を車主専用の携帯電話環境となす。さらには、電話会社と連盟してそのＳＩＭカードデータ５３０を併せて携帯式メモリカード２中に保存することにより、更に実益を有するものとされる。
【００１５】
上述の携帯式メモリカード２にはまた図１、２中の各種の車用アクセサリが必要とする設定データ、例えば衛星ナビゲーションシステム５２の電子地図５４１、常用ナビゲーション経路５４２、或いはマルチメディアシステム６のスピーカ６１２のボリュームデータ５５１、ディスプレイ６２２の解析度５５２、コントラスト５５３、カラートーン５５４等のデータ、或いはその他の未表示の、例えば常時聴く無線ラジオチャンネル、電動椅子の椅子前後位置、背もたれリクライニング角度、空調システムの好みの温度、湿度、盗難防止システムの敏感度等の設定データが保存される。当然、各特約工場に委託された広告データ、或いは販売促進データを収集することも可能である。本実施例の携帯式メモリカード２は一つのカードに一体に多種類の車用アクセサリの設定データを整合し、また携帯して完全に所有者の個人の好みの設定を代表し、こえにより個人に符合する運転環境を設定できる。
【００１６】
図１に示される本実施例の携帯式メモリカード２中のデータは車用携帯電話システム５１の入力キーボード５１２を経由し直接更新されカードリーダー３により携帯式メモリカード２中に書き込まれる。或いは、車用携帯電話システム５１のＧＳＭモジュール５１１を無線ダウンロード装置となし、遠端サービスセンター９より更新データを無線ダウンロードすることもできる。上述の更新データはコントローラ４がカードリーダー３を制御することにより携帯式メモリカード２に書き込まれてデータが更新される。本実施例では運転中に随時随所で無線でデータを更新する目的を達成できる。
【００１７】
本実施例の無線ダウンロード装置はＧＰＲＳモジュール、ＣＤＭＡモジュール或いはその他の同じ効果を有する無線通信モジュールに代えることができ、いずれも同じ効果を達成する。その伝送モードはモデム伝送、ショートメッセージ、ディジタルブロードキャスティング、或いはその他の同じ効果を有する方式により達成される。
【００１８】
無線更新する内容は上述の各種の車用アクセサリの設定データのほか、各種の車用アクセサリが使用するコンピュータソフト、例えば図１中のＧＳＭモジュール５１１、携帯電話システム５１、ＧＰＳモジュール５２１、音声出力装置６１のＴＴＳ（Ｔｅｘｔ　ｔｏ　Ｓｐｅｅｃｈ）モジュール６１１、画像出力装置６２のＯＳＤ（Ｏｎ　Ｓｃｒｅｅｎ　Ｄｉｓｐｌａｙ）モジュール６２１等の使用するコンピュータプログラムはいずれも随時随所で更新バージョンを無線ダウンロードでき、車主が自ら工場に出向いて更新／グレードアップする必要がない。
【００１９】
本実施例の携帯式メモリカード２の特色は携帯式であることであり、即ち、車主が車外に持ち出して遠端のコンピュータで随時随所でデータ更新が行える。例えば図３に示される実施例では、携帯式メモリカード２が車主の家に持ち込まれ、家庭のコンピュータ７の大きなディスプレイ７１、大きなキーボード７３、マウス７２、或いは音声制御の入力装置を使用し、簡単にデータを入力、更新できる。該家庭のコンピュータ７をインターネット７４に連接し、さらにインターネット７４により遠端サービスセンター９のサーバーにログインし、並びに遠端サービスセンター９のサーバーの強大機能を利用して例えばナビゲーション経路の更新を補助し、さらに遠端サービスセンター９よりインターネット７４を経由して更新後のデータをダウンロードすると、カードリーダー３’によりそれを携帯式メモリカード２内に書き込むことができる。或いは、上述の図１のように遠端サービスセンター９より所定の時間に無線ダウンロード方式で車上ＧＳＭモジュール５１１に伝送して携帯式メモリカード２に保存することができる。
【００２０】
図４はもう一種の遠端コンピュータで携帯式メモリカード２内のデータを更新する情況を示し、例えば飛行場、ガソリンスタンド、郵便局、コンビニエンスストア、メーカーサービスステーション、特約修理工場、或いは特約メーカー等の地点の情報ステーション８で使用される。図４に示されるこのような情報ステーション８はカードスロット８２を具えて車主が携帯式メモリカード２を挿入するのに供され、情報ステーション８自身は広域ネットワーク、インターネット、無線ネットワーク等の方式で遠端サービスセンターに連結されている。これにより、車主は多元化された情報ステーション８のキーボード８１により直接データを入力、更新でき、ゆえに随時随所で、最も便利な場所で必要なデータの入力、更新、取り出しが行え、相当に便利である。
【００２１】
【発明の効果】
総合すると、本発明はその目的、手段及び機能のいずれにおいても従来の技術の特徴とは異なり、運転環境設定装置の一大突破である。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】本発明のシステム構造表示図である。
【図２】本発明の電話帳保存データ内容表示図である。
【図３】本発明の家庭に設けられた遠端コンピュータ表示図である。
【図４】本発明の飛行場に設けられた情報ステーション表示図である。
【符号の説明】
１　データバス　　　２　携帯式メモリカード　３　カードリーダー
４　コントローラ　　５１　携帯電話システム　５１１　ＧＳＭモジュール
５１２　入力キーボード　　　５２　衛星ナビゲーションシステム
５３　電話帳設定データ　　　５３０　ＳＩＭカードデータ
５３１　車主携帯電話番号　　５３２　常用電話番号
５３３　呼び出し表示番号　　５３４　ダイアル番号
５３５　短縮ダイアル電話番号　　５３６　リダイアル電話番号
５４１　電子地図　　　　　　　　５４２　常用ナビゲーション経路
５５１　スピーカボリュームデータ　５５２　ディスプレイ解析度データ
５５３　ディスプレイコントラストデータ
５５４　ディスプレイカラートーンデータ
６　マルチメディアシステム　　　　６１　音声出力装置
６１１　ＴＴＳモジュール　　　　　６１２　スピーカ
６２　画像出力装置　　　　　　　６２１　ＯＳＤモジュール
６２２　ディスプレイ　　　　　　　７　家庭のコンピュータ
７１　ディスプレイ　　　　　　　　７２　マウス
７３　キーボード　　　　　　　　　７４　インターネット
８　情報ステーション　　　　　　　８１　キーボード
８２　カードスロット　　　　　　　９　遠端サービスセンター
【図１】
2004058981.tif 000003
【図２】
2004058981.tif 000004
【図３】
2004058981.tif 000005
【図４】
2004058981.tif 000006